(57)【要約】【課題】  不必要に主電源部を動作させることを防止することによって、消費電力の低減を図ったジョブ処理装置を提供する。【解決手段】ファクシミリ装置１Ａは、トーンリング検出回路１４、ＰＩＣ２２、ＥＥＰＲＯＭ１３、画像形成部７３、主電源部６０、補助電源部５０を有する。電源監視回路２０は、トーンリング検出回路１４が検出した信号の内容を解析する。ＥＥＰＲＯＭ１３は、ＰＩＣ２２が解析した信号に係るジョブデータの一部を記憶する。主電源部６０は、画像形成部７３段に電気的に接続される。補助電源部５０は、主電源部６０よりも電源容量が小さい電源であってＰＩＣ２２に電気的に接続される。また、補助電源部５０は、補助電源より電源容量が小さい電源であって前記信号検出手段に接続された常駐電源を備える。【選択図】  図１
2006229310.tif 000002
【特許請求の範囲】
【請求項１】
ジョブデータに係る外部からの信号を検出する信号検出手段と、
前記信号検出手段が検出した信号の内容を解析する信号解析手段と、
前記信号解析手段が解析した信号に係るジョブデータの少なくとも一部を記憶する記憶手段と、
入力されたジョブデータに基づいてジョブを実行するジョブ処理手段と、
前記ジョブ処理手段に電力を供給する主電源部と、
前記主電源よりも電源容量が小さい電源であって前記信号解析手段に電力を供給する補助電源部と、
前記補助電源より電源容量が小さい電源であって前記信号検出手段に電力を供給する常駐電源部と、
前記主電源部の動作および前記補助電源部の動作のそれぞれについてのオン／オフ切換制御を行う電源切換手段と、
を備えたことを特徴とするジョブ処理装置。
【請求項２】
前記電源切換手段が前記主電源部および前記補助電源部の動作を停止させる省電力モード時に、前記信号検出手段が外部から入力される信号を検出した場合に、まず、前記補助電源をオンにし、続いて、前記信号検出手段に入力された信号に係る前記信号解析手段の解析結果に基づいて選択的に前記主電源をオンにする電源監視手段を、
さらに備えたことを特徴とする請求項１に記載のジョブ処理装置。
【請求項３】
商用電源のゼロクロス信号を検出するゼロクロス検出手段をさらに備え、
前記電源監視手段は、前記ゼロクロス検出手段の検出結果を基に停電の発生を検出することを特徴とする請求項２に記載のジョブ処理装置。
【請求項４】
前記記憶手段が、不揮発性のメモリであることを特徴とする請求項３に記載のジョブ処理装置。
【発明の詳細な説明】
【技術分野】
【０００１】
この発明は、入力されたジョブデータを基にジョブを実行するジョブ処理装置に関し、特に、消費電力の低減させる省電力モードを含む複数の動作モードを有するジョブ処理装置に関する。
【背景技術】
【０００２】
ジョブデータの入力に基づきジョブを実行するジョブ処理装置において省電力化を図るためには、ジョブデータが入力されない期間における電源制御が重要になる。つまり、ジョブデータが入力されない期間は、なるべくジョブ処理装置の消費電力を低減したい。その一方で、ジョブデータが入力された場合には、このジョブデータに迅速に対応して、ジョブを実行する必要がある。
【０００３】
このため、従来技術の中には、装置に対する信号の入力が所定期間無い場合には、通常使用している主電源部の動作を停止させるという電源制御を採用するものがあった（例えば、特許文献１参照。）。この特許文献１の発明に係る電源装置では、主電源部を停止させる省電力モード時にも、外部からの信号を検出する回路への給電が行われているため、省電力モード時でも外部からの入力信号を検出することが可能である、とされている。
【特許文献１】特開２００３−２２８４４４号公報
【発明の開示】
【発明が解決しようとする課題】
【０００４】
しかしながら、上述の特許文献１の発明では、省電力モードから通常動作モードに復帰する際に、不必要な電力消費が発生する虞があった。具体的には、特許文献１の発明に係る電源回路では、省電力モードにおいて外部からジョブデータに係る信号が入力されると必ず主電源部を動作させている。ところが、ジョブの内容によっては主電源部を動作させるまでもない場合がある。この場合に主電源部を動作させると、不必要に主電源部を起動させる分だけジョブ処理装置の消費電力が増加する。
【０００５】
この発明の目的は、不必要に主電源部を動作させることを防止することによって、消費電力の低減を図ったジョブ処理装置を提供することである。
【課題を解決するための手段】
【０００６】
（１）  本発明に係るジョブ処理装置は、信号検出手段、信号解析手段、記憶手段、ジョブ処理手段、主電源部、補助電源部、常駐電源部、および電源切換手段を備える。信号検出手段は、ジョブデータに係る外部からの信号を検出する。信号解析手段は、信号検出手段が検出した信号の内容を解析する。記憶手段は、信号解析手段が解析した信号に係るジョブデータの少なくとも一部を記憶する。ジョブ処理手段は、入力されたジョブデータに基づいてジョブを実行する。主電源部は、ジョブ処理手段に電力を供給する。補助電源部は、主電源よりも電源容量が小さい電源であり、信号解析手段に電力を供給する。常駐電源部は、補助電源より電源容量が小さい電源であり、信号検出手段に電力を供給する。電源切換手段は、主電源部の動作および補助電源部の動作のそれぞれについてのオン／オフ切換制御を行う。
【０００７】
ジョブ処理装置は、通常、外部からの信号を信号検出手段によって検出し、信号解析手段によってその信号の内容を検出する。信号解析手段が、解析する内容の代表例として、入力信号に含まれるジョブデータがジョブ処理手段に実行させるべきジョブに係るものか、または、そのジョブデータが単に記憶手段にデータを記憶するジョブに係るものかの解析が挙げられる。
【０００８】
電力供給については、電源切換手段が行う電源制御に基づき、主電源部がジョブ処理手段に選択的に電力を供給し、補助電源部が信号解析手段に選択的に電力を供給する。なお、信号検出手段は、常駐電源から常時給電される。
【０００９】
本発明のジョブ処理装置では、信号解析手段が主電源部ではなく補助電源部から給電されるため、主電源部が動作していなくても入力信号の解析がされる。また、電源切換手段によって、主電源部の動作および補助電源部の動作がそれぞれ別個に制御される。このため、信号解析手段にまず信号の内容を解析させ、その結果、主電源部の動作が必要な場合にのみ主電源部を動作させるといった電源制御が可能になる。
【００１０】
（２）  （１）に記載のジョブ処理装置であって、
前記電源切換手段が前記主電源部および前記補助電源部の動作を停止させる省電力モード時に、前記信号検出手段が外部から入力される信号を検出した場合に、まず、前記補助電源をオンにし、続いて、前記信号検出手段に入力された信号に係る前記信号解析手段の解析結果に基づいて選択的に前記主電源をオンにする電源監視手段を、
さらに備えたことを特徴とする。
【００１１】
この構成においては、省電力モード時に信号検出手段が外部からの信号を検出しても、電源監視手段はただちには主電源部を動作させない。電源監視手段は、信号解析手段の解析結果により、ジョブ処理手段を動作させる必要があると判断した場合にのみ、主電源部を動作させる。このため、記憶手段にデータを記憶させることのみを目的とするジョブの場合には、主電源部が動作することがない。したがって、主電源部が不必要に動作することがなく、消費電力の低減が図られる。
【００１２】
ここで、記憶手段にデータを記憶させることのみを目的とするジョブの例として、夜間のＦＡＸまたはインタネットＦＡＸの受信ジョブや、画像データのホールド・ジョブ等が挙げられる。
【００１３】
（３）  （２）に記載のジョブ処理装置であって、
商用電源のゼロクロス信号を検出するゼロクロス検出手段をさらに備え、
前記電源監視手段は、前記ゼロクロス検出手段の検出結果を基に停電の発生を検出することを特徴とする。
【００１４】
この構成においては、交流信号が０Ｖを交叉するのを検出することで、商用電源からの電力供給の有無が検出される。このため、ある一定時間以上ゼロクロス信号が検出されない期間が無いかを監視することで、停電の発生が迅速に検出される。迅速に停電の発生を検出することによって、出力用紙枚数、ドラム回転時間情報、部門カウンタ数等の必要なデータを不揮発性のメモリに退避させることが可能になる。
【００１５】
（４）  （３）に記載のジョブ処理装置であって、
前記記憶手段が、不揮発性のメモリであることを特徴とする。
【００１６】
この構成においては、記憶手段として、ＥＥＰＲＯＭ等の不揮発性のメモリが用いられる。このため、停電が生じても、重要なデータを不揮発性のメモリに退避させることが可能になる。
【発明の効果】
【００１７】
（１）不必要に主電源部を動作させることを防止できる。
【００１８】
（２）省電力モードから通常動作モードに復帰時に、不必要に主電源部が動作することを防止できる。
【００１９】
（３）電力供給に異変が生じても、重要なデータの消失を防止できる。
【００２０】
（４）停電時のデータの消失を防止できる。
【発明を実施するための最良の形態】
【００２１】
まず、図１〜図５を用いて、本発明のジョブ処理装置の第１の実施形態であるファクシミリ装置１Ａを説明する。
【００２２】
図１に示すように、ファクシミリ装置１Ａは、インタフェース・コントローラ１０、電源監視回路２０、操作パネル３０、制御部４０、主電源部６０、補助電源部５０、画像読取部７１、画像処理部７２、および画像形成部７３を備える。
【００２３】
インタフェース・コントローラ１０は、トーンリング検出回路１４を搭載するＦＡＸボード１１およびＥＥＰＲＯＭ１３を備える。ＦＡＸボード１１は、トーンリング検出回路１４を介して公衆回線に接続される。
【００２４】
電源監視回路２０は、ＥＥＰＲＯＭ２１およびＰＩＣ２２を備える。ＥＥＰＲＯＭ２１は、電源監視回路２０の動作に必要なプログラムを格納する。ＰＩＣ２２は、主に、主電源部６０のオン／オフ切換のための信号出力、および入力されたＦＡＸデータの記録処理を制御するマイコンである。
【００２５】
操作パネル３０は、ソフト・パワー・スイッチ３１、および省電力解除スイッチ３２を備える。ソフト・パワー・スイッチ３１は、ファクシミリ装置１Ａのオン／オフを切り換えるためのスイッチである。省電力解除スイッチ３２は、省電力モードで動作するファクシミリ装置１Ａを通常動作モードに復帰させるためのスイッチである。なお、ここでは、ソフト・パワー・スイッチ３１、および省電力解除スイッチ３２を操作キーの代表例として挙げているが、操作パネル３０はその他に様々な操作キーを備える。
【００２６】
制御部４０は、ＣＰＵ４１、ＲＯＭ４２、ＲＡＭ４３、およびＥＥＰＲＯＭ４４を備える。ＣＰＵ４１は、ＲＯＭ４２に格納されたプログラムを基に、ファクシミリ装置１Ａの各部を統括的に制御する。ＲＯＭ４２は、ファクシミリ装置１Ａの動作に必要なプログラムを格納する。ＲＡＭ４３は、データを一時的に保持する揮発性のメモリとして用いられる。ＥＥＰＲＯＭ２１は、ファクシミリ装置１Ａの設定情報が記憶される。
【００２７】
主電源部６０は、整流・平滑回路６２を介して商用電源３に接続される。主電源部６０は、電源ラインＰ１〜Ｐ３を介して制御部４０に接続されており、ファクシミリ装置１Ａの各部に電力を供給する。また、主電源部６０は、制御信号ラインＣ２を介して電源監視回路２０に接続されている。この制御信号ラインＣ２を介してローレベルの信号が供給されると主電源部６０内のスイッチングトランス６１が発振し、制御信号ラインＣ２を介してハイレベルの信号が供給されるとスイッチングトランス６１が停止する。
【００２８】
補助電源部５０は、整流・平滑回路５４、スイッチングトランス５１、Ｐ−ＭＯＳ５２を有する。スイッチングトランス５１の２次側は２つ出力がある。２つ出力のうちの１つは、トーンリング検出回路１４および電源監視回路２０に接続される（本発明の常駐電源部に相当する。）。また、他の１つの出力は、Ｐ−ＭＯＳ５２を介してＦＡＸボード１１に接続される（本発明の補助電源部に相当。）。Ｐ−ＭＯＳ５２のゲートは、制御信号ラインＣ１を介して電源監視回路２０に接続されている。このゲートにローレベルの信号が入力されると、Ｐ−ＭＯＳ５２を介してスイッチングトランス５１からインタフェース・コントローラ１０に電力が供給される。
【００２９】
画像読取部７１は、ＦＡＸ送信すべき原稿の画像情報を読み取り、画像データとして出力する。画像処理部７２は、画像読取部７１から出力された画像データに対して、予め定められた手順で画像処理を実行する。画像形成部７３は、入力される画像データをプリント出力する。なお、ＦＡＸ受信時に画像形成部７３がプリント出力を実行するか否かは、ファクシミリ装置１Ａの設定状態を基に判断される。
【００３０】
図２に示すように、商用電源３は、メインスイッチ４、平滑回路５４を介して補助電源部５０に接続される。メインスイッチ４は、ファクシミリ装置１Ａの電源のオン／オフを切り換えるためのスイッチである。平滑回路５４は、ダイオードブリッジおよびコンデンサを備えており、整流・平滑動作を行う。補助電源部５０は、接地されたリレーコイル７および電源監視回路３０にそれぞれ接続される。また、商用電源３は、メインスイッチ４、トライアック５、リレー接点６、および平滑回路６２を介して主電源部６０に接続される。トライアック５は、そのゲートが主電源部６０に接続される。リレー接点６は、リレーコイル７によって閉成／開放が切り換えられるノーマル・オープンのリレー接点である。トライアック５およびリレー接点６は、並列に接続されており、それぞれメインスイッチ４および平滑回路６２に接続される。平滑回路６２は、平滑回路５４と同一の構成を有する。
【００３１】
主電源部６０は、制御信号入力端子６７を備える。制御信号入力端子６７には、主電源部６０をオンにするローレベルの信号（ローレベルの信号）および主電源部６０をオフするローレベル以外の信号（ハイレベルの信号）が選択的に入力される。主電源部６０は、トライアック５のゲートおよび制御部４０にそれぞれ接続される。
【００３２】
ファクシミリ装置１Ａの動作を説明する。メインスイッチ４がオンになるとファクシミリ装置１Ａが起動する。起動時には、まず、商用電源３から平滑回路５４を経由して補助電源部５０に電流が流れる。続いて、補助電源部５０からリレーコイル７に電力が供給される。リレーコイル７に電流が流れることにより、リレー接点６が閉成する。リレー接点６が閉成することにより、商用電源３からリレー接点６および平滑回路６２を経由して主電源部６０に電流が流れる。
【００３３】
続いて、主電源部６０からトライアック５のゲートに電力が供給されることにより、トライアック５が導通する。また、主電源部６０から制御部１０に対する電力供給が開始され、その結果、ファクシミリ装置１Ａが動作を開始する。
【００３４】
図３に示すように、主電源部６０におけるスイッチングトランス６１は、第１の１次側巻線６２Ａ、第２の１次側巻線６２Ｃ、および２次側巻線６２Ｂを備える。第１の１次側巻線６２Ａは、平滑回路６２およびスイッチングトランジスタ６４に接続される。２次側巻線６２Ｂは、ダイオード６５のアノードに接続されており、ダイオード６５のカソードは、接地されたコンデンサ６６および電力供給端子に接続される。コンデンサ６６と電力供給端子との間の接続部は、抵抗７２、ツェナーダイオード７３、発光ダイオード７１を介して接地される。
【００３５】
スイッチングトランジスタ６４のゲートは、エミッタが接地されたフォトトランジスタ７０および第２の１次側巻線６２Ｃに接続される。フォトトランジスタ７０のコレクタは、インバータ６９を介して、制御信号入力端子６７に接続される。制御信号入力端子６７およびインバータ６９の間の接続部は、プルアップ抵抗６８を介して補助電源部５０に接続される。
【００３６】
ローレベルの信号が制御信号入力端子６７に入力されると、オープンコレクタのインバータ６９の出力側がハイインピーダンス状態となり、スイッチングトランジスタ６４のゲートの強制接地が解除される。このため、第１の１次側巻線６２Ａからスイッチングトランジスタ６４のゲートに入力される帰還信号が有効となりスイッチング発振が行われる。このスイッチング発振により、２次側巻線６２Ｂから電力供給端子を介して制御部１０に電力の供給が行われる。なお、ここでは、２次側巻線６２Ｂに２つの中間タップが配置されており、互いに異なる３種類の電力が制御部１０に供給される。
【００３７】
コンデンサ６６と電力供給端子との間の接続部の電位が、所定の電位に達すると、抵抗７２およびツェナーダイオード７３を介して発光ダイオード７１に電力が流れる。この結果、フォトトランジスタ７０がオンになり、スイッチングトランジスタ６４のゲートが強制接地されることにより、スイッチングトランス６１の発振が停止する。このようにスイッチングトランス６１の発振のオン／オフを切り換えることにより、主電源部６０から制御部１０に過不足なく電力供給がされる。
【００３８】
一方で、ハイレベルの信号が制御信号入力端子６７に入力されると、スイッチングトランジスタ６４のゲートが強制接地され、スイッチングトランス６１の発振が停止する。
【００３９】
例えば、通常動作モード時において、電源監視回路３０から制御信号入力端子６７にハイレベルの信号が入力されると、スイッチングトランス６１の発振が停止する。また、省電力動作モード時において、電源監視回路３０から制御信号入力端子６７にローレベルの信号が入力されると、スイッチングトランス６１が発振を開始する。
【００４０】
電源監視回路３０は、ファクシミリ装置１Ａの動作モードに応じて、ローレベルの信号またはハイレベルの信号を制御信号入力端子６７に出力する。通常、所定の設定時間以上ファクシミリ装置１Ａにコマンドの入力がされない状態が継続した場合には、制御部１０から電源監視回路３０に省電力要求信号が出力される。有効な省電力要求信号を受け付けると、電源監視回路３０は、ハイレベルの信号を制御信号入力端子６７に出力するとともに、ハイレベルの信号をＰ−ＭＯＳ５２のゲートに対して出力する。
【００４１】
図４は、トーンリング検出回路１４を示している。トーンリング検出回路１４は、公衆回線を介して入力されるＦＡＸの信号を起動信号として検出し、主電源部６０を動作させる。
【００４２】
補助電源部５０を動作させるためには、Ｐ−ＭＯＳ５２のゲートにローレベルの信号を入力する必要がある。また、主電源部６０を動作させるためには、制御信号入力端子６７にローレベルの信号を入力する必要がある。フォトカプラ１４５のフォトトランジスタ１４７が導通していない状態では、電源監視回路２０内のプルアップ抵抗２３を介してハイレベルの信号がＰ−ＭＯＳ５２のゲートに入力する。
【００４３】
ここで、ファクシミリ装置１Ａが通常動作モードにおいては、トランジスタ１４３のベースに補助電源部５０の電位ＶSUB が入力するため、トランジスタ１４３は導通する。トランジスタ１４３が導通すると、図４における接続部Ａの電位がローレベルとなることから、発光ダイオード１４６に電流が流れ、フォトトランジスタ１４７が導通する。フォトトランジスタ１４７が導通すると、Ｐ−ＭＯＳ５２のゲートにローレベルの信号が入力し、補助電源部５０からインタフェース・コントローラ１０への給電が開始される。
【００４４】
省電力動作モードになると、トランジスタ１４３のベースにローレベルのＰＳバー信号が入力することにより、トランジスタ１４３が導通しなくなる。トランジスタ１４３が導通しなくなると、接続部Ａの電位がハイレベルになる。この結果、発光ダイオード１４６に電流が流れなくなることによってトランジスタ１４７が導通しなくなり、Ｐ−ＭＯＳ５２のゲートにハイレベルの信号が入力する。
【００４５】
同時に、電源監視回路２０からハイレベルの信号が制御信号入力端子６７に出力される。このため、インバータ６９の出力側がローレベルとなり、スイッチングトランジスタ６４のゲートが強制接地され主電源部６０の動作が停止する。
【００４６】
この省電力動作モードにおいて、図４に示すように、公衆回線からＦＡＸ受信に係るトーンリング信号の入力がされると、フォトカプラ１４０の発光ダイオード１４１がこの信号を検出してフォトトランジスタ１４２を導通させる。これにより、接続部Ａの電位がローレベルになりバッファ１４４がオンし、フォトカプラ１４５のフォトトランジスタ１４７が導通する。したがって、上述と同様にＰ−ＭＯＳ５２のゲートにローレベルの信号が入力するため、インタフェース・コントローラ１０への給電が再開して、ＦＡＸ信号の内容を解析することが可能になる。
【００４７】
図５は、省電力モード時のファクシミリ装置１Ａの動作手順を示すフローチャートである。ファクシミリ装置１Ａは、省電力モード時に、外部から信号が入力されるまで待機する（Ｓ１）。トーンリング検出回路１４によってトーンリング信号が入力されると、トーンリング検出回路１４から電源監視回路２０を介してローレベルの信号がＰ−ＭＯＳ５２のゲートに供給され、その結果、補助電源部５０からＰ−ＭＯＳ５２を介してインタフェース・コントローラ１０に電力が供給される（Ｓ２）。補助電源部５０からの電力でインタフェース・コントローラ１０は動作を開始する。インタフェース・コントローラ１０は、入力されたトーンリング信号を解析する（Ｓ３）。
【００４８】
続いて、インタフェース・コントローラ１０は、プリント設定の有無を判断する（Ｓ４）。ここで、「プリント設定有り」とは、受信したＦＡＸデータをすべてプリント出力する設定状態であり、「プリント設定なし」とは、受信したＦＡＸデータをとりあえず記録しておき、後でプリント出力する設定状態である。
【００４９】
Ｓ４の判断ステップにおいて、「プリント設定有り」の場合にはインタフェース・コントローラがその旨の信号を電源監視回路２０に出力し、電源監視回路２０が主電源部６０の動作を開始させる（Ｓ５）。その後、画像形成部７３は受信したＦＡＸデータに係る印刷を実行する（Ｓ６）。
【００５０】
一方、Ｓ４の判断ステップにおいて、「プリント設定なし」の場合には、インタフェース・コントローラ１０は、受信したＦＡＸデータをＥＥＰＲＯＭ１３に記録する（Ｓ７）。従来のファクシミリ装置では、Ｓ７の場合にも主電源部６０を動作させていたが、本発明に係るファクシミリ装置１Ａでは主電源部６０を動作させない。このため、従来よりも効率的に省電力化を図ることが可能になる。
【００５１】
続いて、図６〜図８を用いて、本発明のジョブ処理装置の第２の実施形態であるマルチファンクションプリンタ（以下、MFPという。）を説明する。
【００５２】
図６は、ＭＦＰ１Ｂの概略構成を示す図である。図６に示すように、ＭＦＰ１Ｂの基本的構成はファクシミリ装置１Ａと同一である。このため、ＭＦＰ１Ｂにおいて、対応する構成要素にはファクシミリ装置１Ａの場合と同一の引用符号を付している。
【００５３】
ＭＦＰ１Ｂは、インタフェース・コントローラ１０、電源監視回路２０、操作パネル３０、制御部４０、主電源部６０、補助電源部５０、画像読取部７１、画像処理部７２、および画像形成部７３を備える。これらの各部の特徴はファクシミリ装置１Ａのものと同様である。
【００５４】
さらに、ＭＦＰ１Ｂは、ＬＡＮボード１５、およびゼロクロス検出回路５３を備える。ＬＡＮボード１５は、インタフェース・コントローラ１０内に配置されており、内部にＬＡＮ信号検出回路１５を有する。ＬＡＮ信号検出回路１５は、パソコン２Ａ〜２Ｃが接続されたネットワーク１００Ｂに接続される。ゼロクロス検出回路５３は、補助電源部５０内に配置されており、商用電源３の交流信号が０Ｖを交叉するのを検出する回路である。ゼロクロス検出回路５３の検出結果は電源監視回路２０に出力される。
【００５５】
図７は、イーサネット（登録商標）を介して制御信号Ｓ１およびデータＳ２が入力されたときのＬＡＮ信号検出回路１５におけるＩＤ識別を示している。図７に示すように、ＬＡＮ信号検出回路１５においては、デバイスＩＤと入力信号のＩＤの一致のみを検出し、起動信号Ｓ３を出力する。起動信号Ｓ３は、ローレベルの信号であり、Ｐ−ＭＯＳ５２のゲートに対して出力される。
【００５６】
図８は、省電力モード時における制御部４０の動作手順を示すフローチャートである。ＦＡＸ受信時の動作手順は第１の実施形態で説明しているため、ここでは、ネットワーク１００Ｂを介して画像データを含むジョブデータを受信した場合を説明する。ＭＦＰ１Ｂは、省電力モード時に、外部から信号が入力されるまで待機する（Ｓ１１）。ＬＡＮ信号検出回路１５によってＬＡＮ信号が入力されると、ＬＡＮ信号検出回路１５から電源監視回路２０を介してローレベルの信号がＰ−ＭＯＳ５２に供給され、その結果、補助電源部５０からＰ−ＭＯＳ５２を介してインタフェース・コントローラ１０に電力が供給される（Ｓ１２）。補助電源部５０からの電力でインタフェース・コントローラ１０は動作を開始する。インタフェース・コントローラ１０は、入力されたＬＡＮ信号を解析する（Ｓ１３）。
【００５７】
続いて、インタフェース・コントローラ１０は、入力されたジョブデータにプリント処理要求が含まれているか否か判断する（Ｓ１４）。ここで、プリント処理要求が含まれるジョブデータの例として、通常のプリント要求に係るジョブデータが挙げられる。一方、プリント処理要求が含まれないジョブデータの例として、「ホールド処理」に係る画像データのように、後からプリント出力をするジョブデータが挙げられる。
【００５８】
Ｓ１４の判断ステップにおいて、「プリント出力要求有り」の場合にはインタフェース・コントローラがその旨の信号を電源監視回路２０に出力し、電源監視回路２０が主電源部６０の動作を開始させる。その後、画像形成部７３は受信した画像データに係る印刷を実行する。
【００５９】
一方、Ｓ１４の判断ステップにおいて、「プリント出力要求なし」の場合には、インタフェース・コントローラ１０は、受信した画像データをＥＥＰＲＯＭ１３に記録する（Ｓ１７）。従来のプリンタでは、Ｓ１７の場合にも主電源部６０を動作させていたが、本発明に係るＭＦＰ１Ｂでは主電源部６０を動作させない。このため、従来よりも効率的に省電力化を図ることが可能になる。
【００６０】
さらに、ＭＦＰ１Ｂでは、ゼロクロス検出回路５３を設けており、商用電源からの電力供給の適否を監視することによって、停電の発生を検出する。そして、ＭＦＰ１Ｂは、停電が発生ときには、ＭＦＰ１Ｂの設定内容等の重要なデータをＥＥＰＲＯＭ１３に退避させる。このため、ＭＦＰ１Ｂでは、停電発生時においても、重要なデータの消失が発生しにくい。
【００６１】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６２】
【図１】本発明の第１の実施形態に係るファクシミリ装置の構成を示す図である。
【図２】主電源部および補助電源部の接続状態を示す図である。
【図３】主電源部の構成を示す図である。
【図４】トーンリング検出回路の構成を示す図である。
【図５】省電力モード時におけるファクシミリ装置の動作手順を示すフローチャートである。
【図６】本発明の第２の実施形態に係るＭＦＰの構成を示す図である。
【図７】ＬＡＮ信号検出回路の構成を示す図である。
【図８】省電力モード時におけるＭＦＰの動作手順を示すフローチャートである。
【符号の説明】
【００６３】
１Ａ−ファクシミリ装置
１Ｂ−ＭＦＰ
１０−インタフェース・コントローラ
２０−電源監視部
３０−操作パネル
４０−制御部
５０−補助電源部
６０−主電源部
【図１】
2006229310.tif 000003
【図２】
2006229310.tif 000004
【図３】
2006229310.tif 000005
【図４】
2006229310.tif 000006
【図５】
2006229310.tif 000007
【図６】
2006229310.tif 000008
【図７】
2006229310.tif 000009
【図８】
2006229310.tif 000010